(57)【要約】【課題】  スタジオ設備を小型化し、放送信号の切替制御が容易な放送信号送出システム、およびビデオサーバを提供する。【解決手段】  ビデオサーバ１は、従来のスイッチャ機能を有するセレクタ１１を備え、セレクタ１１に入力される記憶部１３から読出して復号化されたコンテンツの映像信号と、外部のカメラ３から入力されるリアルタイム信号の映像信号との何れかを、ＯＴＣ６からセレクタ１１にネットワーク８を介して入力される切替コマンドによって切替えてＭＵＸ７へ出力する。【選択図】  図１
2008011441.tif 000002
【特許請求の範囲】
【請求項１】
少なくとも１つのリアルタイム信号とビデオサーバに収録された少なくとも１つのコンテンツの信号のうち何れかを選択し、放送信号として出力する放送信号送出システムにおいて、
前記リアルタイム信号と前記収録されたコンテンツの信号とのうち何れかを選択する切替コマンドを前記ビデオサーバに入力する切替コマンド入力手段と、
前記リアルタイム信号と所定の前記収録されるコンテンツの信号とが入力され、前記リアルタイム信号の入力端子と前記収録されたコンテンツの信号が記憶装置から読み出されて復号化された信号と前記切替コマンドが入力されるセレクタとを備え、前記入力されるコンテンツの信号を符号化して内部記憶装置に収録し、前記収録されたコンテンツを読み出して復号化して第２の放送信号として前記セレクタに出力し、前記セレクタが前記切替コマンドを受信した場合、前記セレクタは前記切替コマンドに指定された信号を選択し、前記放送信号として切替えて出力するビデオサーバとを
具備することを特徴とする放送信号送出システム。
【請求項２】
前記符号化は、フレーム間圧縮符号化が行われ、
前記セレクタは、前記復号された第２の放送信号をＧＯＰ単位で区切ることにより前記リアルタイム信号と前記コンテンツの何れかを選択して前記切替を行うことを特徴とする請求項１に記載の放送信号送出システム。
【請求項３】
入力される前記リアルタイム信号は、第２のビデオサーバが収録する別途定められたコンテンツが読出し、復号されて出力されたものであることを特徴とする請求項１記載の放送信号送出システム。
【請求項４】
前記切替コマンド入力手段は、
前記切替コマンドを前記ビデオサーバに伝送するネットワークと、
前記ネットワークに接続され、前記切替コマンドを前記ネットワークへ出力するＡＰＣ、又は、オペレータにより入力される切替コマンド信号を前記ネットワークへ出力するＯＴＣとを備えることを特徴とする請求項１記載の放送信号送出システム。
【請求項５】
放送信号となる所定のコンテンツの信号を収録し、制御信号を伝送する通信手段を介してＡＰＣ、又はオペレータから入力される切替コマンドにより指定された放送信号を選択して出力するビデオサーバにおいて、
前記通信手段に接続され、前記切替コマンドを受信して、放送信号の切替手段へ出力する切替コマンド入力手段と、
前記所定のコンテンツの信号が入力される入力手段と、
前記入力手段から入力された放送信号を符号化信号に変換するエンコーダと、
前記符号化信号を蓄積記憶する記憶手段と、
前記記憶手段から読み出された前記符号化信号を第２の放送信号に復号して出力するデコーダと、
前記第２の放送信号、および外部から入力される第３の放送信号、並びに前記切替コマンドが入力され、前記入力される前記切替コマンドに指定された放送信号を前記第２、第３の放送信号から選択して出力する切替手段とを
備えることを特徴とするビデオサーバ。
【請求項６】
前記符号化は、フレーム間圧縮符号化が行われ、
前記切替手段は、前記復号された第２の放送信号をＧＯＰ単位で区切ることにより前記切替を行うことを特徴とする請求項４に記載のビデオサーバ。
【発明の詳細な説明】
【技術分野】
【０００１】
本発明は、放送局における放送信号送出システム、およびビデオサーバに関する。
【背景技術】
【０００２】
放送局ではニュース番組のカメラ信号のようなリアルタイム信号や、ドラマ等のビデオサーバに収録された蓄積コンテンツが放送番組の進行に従ってスイッチャで切替、選択された放送信号として送信される。
【０００３】
放送信号の切替えは、番組時刻表によりＡＰＣ（自動番組送出設備）からスイッチャに所定の時間に切替え制御信号を送信して切替える場合と、ニュースや緊急報道などで、オペレータがＯＴＣ（One Touch Controller）から手動で切り替えコマンドをスイッチャに送信して切替える場合がある。
【０００４】
図５は、従来の放送局のスタジオにおける放送信号送出システムの放送信号の送出系統図である。  
図５において、スタジオでは、放送コンテンツが複数収録され、そのコンテンツを選択するセレクタ１１０を有し、放送信号を出力するビデオサーバ１００と、例えば、ＶＴＲのような素材出力装置２００、カメラ３００、ビデオサーバ１００やカメラ３００から入力される放送信号を切替え出力するマスタスイッチャ４００、サブスイッチャ４１０、各スイッチャへ収録コマンドと切替コマンド信号をそれぞれ出力するＡＰＣ５００とＯＴＣ６００、およびマスタスイッチャ４００から出力された放送信号とデータ信号とを送信機へ向けて多重するＭＵＸ７００、およびＭＵＸ７００へ入力される放送信号（ベースバンド信号）にフレーム間圧縮符号化を行うＥＮＣ（Encoder：符号化装置）９００とを備え、これら構成の装置、機材は、入力、上記の切替コマンド等の制御信号を伝送するネットワーク８００で接続されている。
【０００５】
また、ビデオサーバ１００は、入力されるコンテンツの映像信号をフレーム間圧縮符号化する符号化部（図示せず）、符号化された符号化データを記憶する記憶部（図示せず）と記憶部から読み出した符号化データを復号化する復号化部１２０（複数）、復号化部１２０から出力される映像信号を切り替えるセレクタ１１０とビデサーバが入力されるコンテンツを収録したり読み出して出力する動作を制御する制御部１３０等を備えている。
【０００６】
今、たとえば、ニュース番組中に、ビデオサーバ１００に収録されている取材シーンから、アナウンサのカメラ映像に変更する切替コマンドがオペレータによりＯＴＣ６００から入力されたとする。切替コマンドは、ネットワーク８００を介してビデオサーバ１００とサブスイッチャ４１０へ入力され、ＭＵＸ７００へ向けて出力される放送信号が、ビデオサーバ１００の収録コンテンツの放送信号の代わりにカメラ３００からのリアルタイム信号の放送信号へ切替られる。
【０００７】
このビデオサーバ１００へも入力された切替コマンドは、ビデオサーバ１００で収録された符号化ビデオ信号のコンテンツ選択（切替）を行うセレクタ１１０を制御する制御部１３０にも利用される。
【０００８】
ビデオサーバ１００で収録される符号化ビデオ信号は、通常、素材出力装置２００からの素材信号がＭＰＥＧ２の様なフレーム間圧縮符号化されたものである。ＭＰＥＧ２等の圧縮符号化は、図示しない内部の符号化部で複数のフレーム間での画像形成成分の相関を利用した情報圧縮が行われる。そして、マスタスイッチャ４００、サブスイッチャ４１０で放送信号が切替えられる時には、映像が連続するように（画面が乱れないように）するため、ビデオサーバ１００の内部でも放送信号がＧＯＰ(Group of Picture)と呼ばれるフレーム相関の単位で切換られる（例えば、特許文献１。）。
【０００９】
従来、放送局のスタジオは、放送信号の映像信号を切替るマスタスイッチャ、およびサブスイッチャのみでなく、ビデオサーバの内部にもＧＯＰ単位に依らずフレーム単位で切り替えられる様に複数のデコーダを備えてコンテンツの映像信号を切替えるセレクタを備える必要があった。従って、小規模な放送局でもスイッチャ設備が２つ必要であるほか、スイッチャとセレクタ間を分けて放送信号の切替制御を行わねばならず、システム構成および制御が複雑になる問題があった。
【特許文献１】特許第３４４８９６１号公報  （第６頁、第１図）
【発明の開示】
【発明が解決しようとする課題】
【００１０】
従来、放送局のスタジオは、コンテンツ切替のためスイッチャと、ビデオサーバが内蔵するセレクタとの２つのスイッチ機能を備える必要があり、小規模な放送局でもスイッチャ設備が必要であるほか、スイッチャとセレクタ間を分けて放送信号の切替制御を行わねばならず、システム構成および制御が複雑になる問題があった。
【００１１】
本発明は上記問題を解決するためになされたもので、スタジオ設備を小型化し、放送信号の切替制御が容易な放送信号送出システム、およびビデオサーバを提供することを目的とする。
【課題を解決するための手段】
【００１２】
上記目的を達成するために、本発明の放送信号送出システムは、少なくとも１つのリアルタイム信号とビデオサーバに収録された少なくとも１つのコンテンツの信号のうち何れかを選択し、放送信号として出力する放送信号送出システムにおいて、前記リアルタイム信号と前記収録されたコンテンツの信号とのうち何れかを選択する切替コマンドを前記ビデオサーバに入力する切替コマンド入力手段と、前記リアルタイム信号と所定の前記収録されるコンテンツの信号とが入力され、前記リアルタイム信号の入力端子と前記収録されたコンテンツの信号が記憶装置から読み出されて復号化された信号と前記切替コマンドが入力されるセレクタとを備え、前記入力されるコンテンツの信号を符号化して内部記憶装置に収録し、前記収録されたコンテンツを読み出して復号化して第２の放送信号として前記セレクタに出力し、前記セレクタが前記切替コマンドを受信した場合、前記セレクタは前記切替コマンドに指定された何れかの信号を選択し、前記放送信号として切替えて出力するビデオサーバとを具備することを特徴とする。
【００１３】
また、本発明のビデオサーバは、放送信号となる所定のコンテンツの信号を収録し、制御信号を伝送する通信手段を介してＡＰＣ、又はオペレータから入力される切替コマンドにより指定された放送信号を選択して出力するビデオサーバにおいて、前記通信手段に接続され、前記切替コマンドを受信して、放送信号の切替手段へ出力する切替コマンド入力手段と、前記所定のコンテンツの放送信号が入力される入力手段と、前記入力手段から入力された放送信号を符号化信号に変換するエンコーダと、前記符号化信号を蓄積記憶する記憶手段と、前記記憶手段から読み出された前記符号化信号を第２の放送信号に復号して出力するデコーダと、前記第２の放送信号、および外部から入力される第３の放送信号、並びに前記切替コマンドが入力され、前記入力される前記切替コマンドに指定された放送信号を前記第２、第３の放送信号から選択して出力する切替手段とを備えることを特徴とする。
【発明の効果】
【００１４】
本発明によれば、スタジオ設備を小型化し、放送信号の切替制御が容易な放送信号送出システム、およびビデオサーバを提供することが出来る。
【発明を実施するための最良の形態】
【００１５】
以下、図面を参照して本発明の実施例を説明する。
【実施例】
【００１６】
図１は、本発明の実施例に係る放送局のスタジオにおける放送信号送出システムの放送信号の送出系統図である。  
図１において、放送信号送出システムは、ビデオサーバ１、例えば、ＶＴＲのようなコンテンツを出力する素材出力装置２、カメラ３、ビデオサーバ１へ収録コマンドや切替コマンド信号を出力するＡＰＣ５とＯＴＣ６、ビデオサーバ１から出力された放送信号とデータ信号とを多重して送信機へ向けて出力するＭＵＸ７と、これら構成の装置、機材の間を接続するネットワーク８を備えている。
【００１７】
なお、ここでカメラ３は、説明の便宜上リアルタイムの映像信号を送出する装置の代表例であって、例えば、中継放送車からの実況中継信号、又はネット局からの回線信号を出力する様なリアルタイムの映像信号を送出する装置の何れであっても良い。
【００１８】
ネットワーク８は、収録コマンドや、接続された機器を選択して送信機へ向けて出力される放送信号を選択する切替えコマンドを始めとする制御信号を伝送する。
【００１９】
ビデオサーバ１は、ネットワーク８を介して入力される切替コマンドによって自装置が収録した複数のコンテンツ、およびカメラ３から入力されるリアルタイム信号の様に外部から入力される放送信号からいずれか１つを選択して出力するセレクタ１１を有している。
【００２０】
ＡＰＣ５は、番組時刻表によって予め定められたタイミングで切替コマンドをネットワーク８へ出力する。ＯＴＣ６は、ニュースや中継番組等の放送中に収録されたコンテンツの放送信号やカメラ映像などのリアルタイム信号の放送信号とを切替える収録、又は切替コマンド等のコマンドやデータの入力手段であって、オペレータから手動で入力されるコマンドやデータを入力するパネル、スイッチ等を備え、入力されたコマンドはネットワーク８へ出力される。
【００２１】
従来、ビデオサーバで収録されないカメラ３から出力されるリアルタイム信号の放送信号は、サブとマスタとのスイッチャへ入力されているが、サブスイッチャが省略された本発明の放送信号送出システムでは、ビデオサーバ１へ入力される。そして、ビデオサーバ１内のスイッチャ機能を有するセレクタ１１によって、ビデオサーバ１に収録されたコンテンツの放送信号（映像信号）と、カメラ３からのリアルタイム信号の放送信号（映像信号）のうちいずれかが選択されてＭＵＸ７へ出力される。
【００２２】
図２は、ビデオサーバ１の機能構成を説明するブロック図である。  
以下、図１、図２を参照してビデオサーバ１の動作を説明する。  
図２において、ビデオサーバ１は、ビデオサーバ１が出力する放送信号を選択するセレクタ１１、ビデオサーバ１に入力されるコンテンツ等の信号を選択する入力部１２、入力されたコンテンツ（素材）の信号をＭＰＥＧ２等のフレーム圧縮符号化する符号化部（エコーダ）１３、符号化された信号を記憶する記憶部１４、バス１６、通信ＩＦ（インタフェース）１７等で接続されたこれらの各構成を監視制御する制御部１５とを備えている。
【００２３】
ビデオサーバ１は、通信ＩＦ１７によりネットワーク８とバス１６との間が接続され、バス１６は、切替コマンドの様な制御信号および符号化映像信号等の情報データを伝送するものである。なお、制御信号と情報データとは、物理的には別のバス、または信号線で接続される場合もあるが、ここでは１つのバス１６に含められるものとして説明する。
【００２４】
制御部１５は、バス１６を介してＡＰＣ５、またはＯＴＣ６から収録コマンドや切替コマンド等を受信して、ビデオサーバ１の各構成を制御する。例えば、収録コマンドを受信した場合は、入力部１２から入力されるコンテンツの信号を符号化部１３で符号化して記憶部１４へ書込記憶する。切替コマンドを受信した場合は、セレクタ１１に入力されるコンテンツ記憶部１４から読み出して復号した放送信号と入力部１２から入力されるコンテンツの信号の中から、後述の選択部１１ｂが切替コマンドに指定された放送信号を選択して出力する制御を行う。
【００２５】
セレクタ１１は、記憶部１４から出力される符号化映像信号を復号するＤＥＣ（デコーダ、復号化部）１１ａ（ここでは、＃１、＃２）と、ＤＥＣ１１ａと入力部１２からのリアルタイム信号が入力される選択部１１ｂとを備える。
【００２６】
ＤＥＣ１１ａ（＃１、＃２）は、記憶部１３から読出された符号化映像信号を復号するもので、収録された信号の出力の切替が行われる場合にも切替前後で映像が連続するようにＧＯＰに依らず出力出来る様にフレーム単位の映像信号に復号する。
【００２７】
即ち、今ドラマであるコンテンツＡが記憶部１４から読出されＤＥＣ１１ａ（＃１）によって復号化されＭＵＸ７を介して送信機へ向けて出力されている状態から、広告放送のコンテンツＢが、記憶部１４から読出されＤＥＣ１１ａ（＃２）で復号された信号に切替わる場合、切替わりのタイミングでも画面が乱れないように２つのＤＥＣ１１ａ（＃１、＃２）から復号化された信号が出力される。
【００２８】
例えば、０．５秒間に１５フレーム単位で構成されるＧＯＰ単位で２つのコンテンツが切替えられれば、円滑な画面切替が行われる。このＧＯＰ単位で出力される信号は、従来からビデオサーバから出力されるコンテンツの切替処理で行われているものと同様で、例えば、先の引用例の様なものもその１例である。
【００２９】
従来のビデオサーバが内蔵するセレクタでは、収録していたコンテンツの符号化映像信号を復号した映像信号のみを切り替えていた。ところが、本発明のセレクタ１１の選択部１１ｂは、更に追加の映像信号の入力端子を備えることにより、従来のスイッチャ同様外部の放送信号を切替えて選択出力する機能を有している。
【００３０】
言い換えれば、セレクタ１１の選択部１１ｂは、入力された切替コマンドによって、記憶部１４から読出して復号化した映像信号と、外部から入力された映像信号であるカメラ３からのリアルタイム信号とを切替えて出力する制御が行われる。
【００３１】
さて、入力部１２には、コンテンツの映像信号を出力する素材送出装置２、又はカメラ３等の信号が入力される。入力部１２には、図１には示されていないが、ＡＰＣ６の制御により外部のコンテンツ入力切替装置によって選択、切替が行われた信号が入力されている。
【００３２】
そして、収録コマンドをネットワーク８を介して、ＡＰＣ５から受信した場合、制御部１５は、入力部１２の信号の出力先を符号化部１３へ切り替え、収録コマンドに指定された識別符号等を判読し符号化された信号に設定し、バス１６を介して記憶部１４へ書込記憶する収録制御を行う。
【００３３】
一方、切替コマンドをネットワーク８を介して、ＡＰＣ５，又はＯＴＣ６から受信した場合は、入力部１２の信号の出力先をセレクタ１１の選択部１１ｂの外部信号の入力端子へ切り替える。
【００３４】
図３は、入力部１２が省略されたビデオサーバ１に入力される信号系統の系統図である。  
入力部１２は、図３の入力部の様に省略されても良く、その場合は、入力されたコンテンツのリアルタイム信号は、一方は符号化部１３へ、他方はセレクタ１１へ入力される。
【００３５】
さて、以前受信した切替コマンドによりビデオサーバ１が収録しているコンテンツを放送信号として出力している場合、制御部１５は、その切替コマンドに指定されたコンテンツの識別情報にから当該コンテンツの読出しコマンドを記憶部１４に出力する。そして、記憶部１４から読出されたコンテンツの映像符号化信号は、バス１６を介してＤＥＣ１１ａ（ここでは、＃１とする）、へ入力され、ＤＥＣ１１ａ（ここでは、＃１とする）で復号された信号をセレクタ１１へ出力してる。
【００３６】
今、たとえば、ニュース番組中で、ビデオサーバ１に収録されている取材シーンの放送信号がＤＥＣ１１ａ（＃１）から出力されているのに続き、アナウンサの映像を放送する切替コマンドがオペレータによりＯＴＣ６から入力されたとする。
【００３７】
切替コマンドは、ネットワーク８を介してビデオサーバ１で受信され、制御部１５は、バス１６を介してビデオサーバ１へ入力されているカメラ３からのリアルタイム信号を選択するコマンドがセレクタ１１へ入力される。
【００３８】
セレクタ１１のＤＥＣ１１ａ（＃１）は、出力中の復号した放送信号を、例えば、１５フレーム毎のＧＯＰの区切り目を示すマークを付けて切替部１１ｂへ出力する。切替部１１ｂは、入力される映像信号を監視し、このマークの有るフレームを検出し、そのマークの有るフレームで入力先をＧＯＰ単位で切替えた放送信号にして出力する。そして、ビデオサーバ１からカメラ３からのリアルタイム信号の放送信号がＭＵＸ７へ出力される。
【００３９】
以上の説明の様に、本発明の放送信号送出システムでは、ビデオサーバが備えるセレクタに、ビデオサーバが処理しない外部信号も切替えるスイッチャ機能を備えさせることによりスイッチャを省略し、設備を小型化することが可能となった。
【００４０】
図４は、本発明の放送信号送出システムの変形例を示す構成図である。  
図４は、以下に説明する以外は、図１、図２による説明と構成、動作は同様であるので差異がある点以外は記載を省略している。  
図４において、ビデオサーバ１始め、放送信号送出システムの各構成は、複数備えられている。これらの装置は、図１で説明したようにＡＰＣ、又はＯＴＣからネットワーク８を介して入力、又は出力の切替コマンドが入力される。ここではビデオサーバ１（＃１）のセレクタ１１が、従来のスイッチャの機能を有している。
【００４１】
即ち、ビデオサーバ１（＃１）のセレクタ１１の選択部１１ｂには、例えば、カメラ３（＃１、＃２）からの複数のリアルタイム信号が同様に入力される。そして、例えば、素材送出装置２からのコンテンツ信号が同様に入力されるものであっても良い。
【００４２】
また、ビデオサーバ１（＃２）からの放送信号は、ビデオサーバ１（＃１）のセレクタ１１の選択部１１ｂに入力され、ビデオサーバ１（＃１）のセレクタ１１の選択部１１ｂは、自分では処理しない外部信号を切り替えるスイッチャとして機能している。
【００４３】
素材送出装置２も複数備えられるものであっても良く、例えば、ビデオサーバ１（＃２）へ素材送出装置２から入力されるコンテンツは、図１の場合と同様に、図示されない入力切替手段により選択される。
【００４４】
以上、説明した様に、本発明の放送信号送出システムは、スイッチャを用いないので設備が小規模となり、ビデオサーバとスイッチャの２つの装置の切替の同期タイミングが不要なので放送信号の切替が容易である。
【図面の簡単な説明】
【００４５】
【図１】本発明の実施例に係る放送局のスタジオにおける放送信号送出システムの放送信号の送出系統図。
【図２】ビデオサーバの機能構成を説明するブロック図。
【図３】入力部が省略されたビデオサーバに入力される信号の系統図。
【図４】本発明の放送信号送出システムの変形例を示す構成図。
【図５】従来の放送局のスタジオにおける放送信号送出システムの放送信号の送出系統図。
【符号の説明】
【００４６】
１  ビデオサーバ
１１  セレクタ
１１ａ  ＤＥＣ（復号部）
１１ｂ  選択部
１２  入力部
１３符号化部
１４  記憶部
１５  制御部
１６  バス
１７  通信ＩＦ（インタフェース）
２  素材出力装置
３  カメラ卓
５  ＡＰＣ
６  ＯＴＣ
７  ＭＵＸ
８  ネットワーク
【図１】
2008011441.tif 000003
【図２】
2008011441.tif 000004
【図３】
2008011441.tif 000005
【図４】
2008011441.tif 000006
【図５】
2008011441.tif 000007